(57)【要約】【課題】採光と通風を調整しつつも安全性とプライバシーの保護を確保した。【解決手段】シャッター装置は、開口１４を設けた固定羽１５と開口１４を開閉可能な可動羽１６とを備えたスラット１０が上下方向に複数連結されている。可動羽１６は固定羽１５の上端の第一フック部１５ａを第一係合部２１ａに嵌合させて、回動可能とした。固定羽１５に設けた開口１４は上下方向に分離して複数配列させ、固定羽１６の上側に偏心して配列させた。開口１４は、固定羽１５に対して開状態にある可動羽１６の下端部の水平方向の延長線に対して上側に偏心して位置する。【選択図】図７
2015098749.tif 000002
【特許請求の範囲】
【請求項１】
開口を設けた固定羽と前記開口を開閉可能な可動羽とを備えたスラットが上下方向に複数連結されていて、前記上下のスラットの相対移動によって前記可動羽を開作動させるようにしたシャッター装置であって、
前記スラットの前記固定羽に設けた開口は互いに分離して複数配列されると共に、開閉作動する前記可動羽と前記固定羽との連結部側に偏心して配列されていることを特徴とするシャッター装置。
【請求項２】
前記開口は、前記固定羽に対して開状態にある可動羽の下端部の水平方向の延長線に対して前記連結部側に位置する請求項１に記載されたシャッター装置。
【請求項３】
前記開口は前記固定羽の横幅方向に延びると共に縦幅方向に沿って複数配列されて構成されていて、前記固定羽の横幅方向に間隔を開けて複数組配列されている請求項１または２に記載されたシャッター装置。
【請求項４】
前記可動羽は開状態で前記固定羽に対して鋭角に設定されている請求項１から３のいずれか１項に記載されたシャッター装置。
【発明の詳細な説明】
【技術分野】
【０００１】
本発明は、建物の開口部に用いられていてスラットによって採光や通風等の可能なシャッター装置に関する。
【背景技術】
【０００２】
従来、スラットをブラインドとして用いた採光や通風等の可能なシャッターカーテンとして、例えば特許文献１に記載されたシャッター装置が提案されている。
このシャッター装置は固定羽と可動羽が重ねて設けられたスラットが上下方向に複数連結されていて、シャッターカーテンが建物の開口部を閉鎖させた閉鎖状態で可動羽を開閉操作させることができる。
【０００３】
このシャッター装置は、上下方向に配列された複数のスラットにおいて上側の固定羽で下側のスラットに設けた可動羽を押すことで、下側の可動羽を回動させて開作動させ、固定羽の開口を通して採光や通風ができるようになっている。しかも、開状態にある可動羽によって外部から室内を視認しにくい状態にすることができる。
【０００４】
上述したシャッター装置では、各スラットの固定羽にはその縦幅方向の中央に略長方形状の１つの開口が形成され、この開口は固定羽の横幅方向に所定間隔を開けて複数配列されている。また、各開口には防虫ネットを貼ることで虫等が入らないようにしているものがある。
【先行技術文献】
【特許文献】
【０００５】
【特許文献１】欧州特許第２０３９８７１号明細書
【発明の概要】
【発明が解決しようとする課題】
【０００６】
しかしながら、特許文献１に記載されたシャッター装置では、固定羽の縦幅方向の中央に略長方形状の開口が形成されているために、可動羽の開状態で太陽光の取り込みや採風の流通が容易であるが、その反面、開状態にある可動羽と固定羽の隙間を通して外部から開口を通して室内を目視し易くプライバシーの保護を充分図れない欠点があった。また、固定羽の開口は比較的大きな面積であるために指等が開口から容易に入り易く防犯が不十分であるという欠点があった。
【０００７】
本発明は、このような課題に鑑みてなされたものであって、採光と通風を調整しつつも安全性とプライバシーの保護を確保するようにしたシャッター装置を提供することを目的とする。
【課題を解決するための手段】
【０００８】
本発明によるシャッター装置は、開口を設けた固定羽と開口を開閉可能な可動羽とを備えたスラットが上下方向に複数連結されていて、上下のスラットの相対移動によって可動羽を開作動させるようにしたシャッター装置であって、スラットの固定羽に設けた開口は互いに分離して複数配列されると共に、開閉作動する可動羽と固定羽との連結部側に偏心して配列されていることを特徴とする。
本発明によれば、スラットの固定羽に設けた開口は互いに分離して複数配列されると共に、可動羽と固定羽との連結部側に偏心して配列させたため、開状態にある可動羽との間で太陽光等の光が可動羽等で反射して複数の開口を通して入射するため柔らかな光を採光でき、風も可動羽と固定羽との間から複数の開口を通して流通するため柔らかな風を流通させることができる。しかも、複数の開口は開状態にある可動羽と固定羽の連結部側に偏心して配列したため、外部から開口を通して内部を目視することを可動羽で規制することができる上に、開口を複数に分割したため個々の開口の幅が小さく指などが入りにくいので防犯性が高い。
【０００９】
また、開口は、固定羽に対して開状態にある可動羽の下端部の水平方向の延長線に対して連結部側に位置することが好ましい。
固定羽の開口を開状態にある可動羽の下端部より連結部側に配列したから、外部から開口を通して内部を目視されることを防いでプライバシーの保護と安全性を確保できる。
【００１０】
また、開口は固定羽の横幅方向に延びると共に縦幅方向に沿って複数配列されて構成され、固定羽の横幅方向に間隔を開けて複数組配列されていてもよい。
開口を縦幅方向に複数に分割したものを固定羽の幅方向に複数組配列させたことで、固定羽の強度を確保しながら開口をバランス良く多数形成することができて、開口を通した採光と通風を調整できる。
【００１１】
また、可動羽は開状態で固定羽に対して鋭角に設定されていてもよい。
開状態で可動羽を固定羽に対して鋭角に開いた状態に保持するから、この点でも外部から開口を通して内部を目視されることを抑制できてプライバシーの保護に有効である。
【発明の効果】
【００１２】
本発明によるシャッター装置によれば、スラットの固定羽に設けた開口は互いに分割して複数配列されると共に、可動羽と固定羽との連結部側に偏心して配列させたため、開状態にある可動羽との間で太陽光等の光が可動羽等で反射して複数の開口を通して入射するため柔らかな光を充分採光でき、風も可動羽と固定羽との間から複数の開口を通して流通するため風を広範囲に取り込み易い。
【００１３】
しかも、複数の開口は開状態にある可動羽と固定羽の連結部側に偏心して配列したため、外部から開口を通して内部を目視することを可動羽で妨げることができる上に、開口を複数に分割して配設したため個々の開口の幅が小さく指などが入りにくいので防犯上の安全性が高い。
【図面の簡単な説明】
【００１４】
【図１】本発明の実施形態によるシャッター装置を示す分解斜視図である。
【図２】図１に示すシャッター装置の正面図である。
【図３】シャッターカーテンのスラットの可動羽を閉じた状態の要部縦断面図である。
【図４】シャッターカーテンのスラットの可動羽を開いた状態の要部縦断面図である。
【図５】シャッターカーテンのスラットを室外側から見た部分斜視図である。
【図６】図５に示すシャッターカーテンのスラットを室内側から見た部分斜視図である。
【図７】（ａ）は可動羽が開状態にあるスラットの縦断面図、（ｂ）は同じく太陽光が開口から入射する光路を示す図である。
【図８】スラットの連結部のかしめ部を示す図であり、（ａ）はスラットの連結部の縦断面図、（ｂ）はスラットの連結部を室内側から見た斜視図である。
【図９】ガイドレール部を一部破断したシャッターカーテンの一部を示す斜視図である。
【図１０】スラットが閉状態の場合のガイドレール部を示す図１３のＡ−Ａ線水平断面図である。
【図１１】スラットが開状態の場合のガイドレール部を示す図１４のＢ−Ｂ線水平断面図である。
【図１２】受け入れ部の内面に設けたモヘアの図であり、（ａ）は室内側と室外側の内面に設けたモヘアの図、（ｂ）は変形例による室内側の内面に設けたモヘアの図である。
【図１３】閉状態のスラットとモヘアを示す図１０のガイドレール部のＣ−Ｃ線縦断面図である。
【図１４】開状態のスラットとモヘアを示す図１１のガイドレール部のＤ−Ｄ線縦断面図である。
【発明を実施するための形態】
【００１５】
以下、本発明の実施形態によるシャッター装置を図１乃至図１４に基づいて説明する。
図１及び図２に示す実施形態によるシャッター装置１は、建物の開口部２にフレーム３が形成され、フレーム３は上枠３ａと下枠３ｂと左右一対の縦枠３ｃとで四角形枠状に形成されている。フレーム３の上側の天板４と上枠３ａとの間にシャッターユニット６が設置されている。シャッターユニット６の下側における両側の縦枠３ｃに一対のガイドレール部７が上下方向に取り付けられている。
【００１６】
シャッターユニット６の内部にはシャフト８と駆動モータ９とが設置され、シャフト８には長尺の複数のスラット１０が上下方向に連結されたシャッターカーテン１２が巻回されている。駆動モータ９の正逆回転により、シャッターカーテン１２を巻き上げれば開口部２の開口状態を得られ、シャッターカーテン１２を繰り出して下端まで降下させれば開口部２の閉鎖状態を得られる。シャッターカーテン１２の上下動はその両端部を挟むガイドレール部７によってガイドされる。
【００１７】
次にシャッターカーテン１２の構造について図３〜図６により説明する。シャッターカーテン１２はその上端部と下端部の巾木１３との間に複数のスラット１０が互いに回動可能に上下方向に連結されている。各スラット１０は開口１４を備えた固定羽１５と、固定羽１５に対して回動可能な可動羽１６とを備え、上側のスラット１０の固定羽１５の下端部と下側のスラット１０の可動羽１６の上端部とが回動可能に連結されて上下方向に連なっている。
なお、図５、図６において、上側の２枚の可動羽１６は固定羽１５に当接した閉状態を示し、下側の２枚の可動羽１６は固定羽１５から開作動した開状態を示しているが、各可動羽１６は閉状態と開状態または開作動の途中で停止保持可能である。
【００１８】
各スラット１０における固定羽１５と可動羽１６は横幅方向に長尺に形成された略長板状であり、縦断面視で円弧状に湾曲して形成されている。固定羽１５は開口１４が長円形状に形成され、１または複数、例えば３つの開口１４が上下方向に互いに分離して形成されている。なお、各開口１４にネットを貼り付けてもよい。
本実施形態に示す例では、図６及び図７に示すように、３つの開口１４は固定羽１５の縦幅方向の上側に偏って配列されて形成されているが、縦幅方向全体に等間隔に配列形成されていてもよい。固定羽１５の複数の開口１４を上側に偏らせて配列形成することで、可動羽１６が開状態に保持された際に外部から開口１４内を視認し難く、太陽光等の外部光は下側の可動羽１６の外面と上側の可動羽１６の内面に反射して開口１４から入射し、柔らかい光を室内で採光することができる。採風についても開状態にある可動羽１６と固定羽１５の間隙から複数の開口１４を通して室内に流入可能であり、その逆も可能である。
【００１９】
なお、一例として、図７（ａ）、（ｂ）に示すスラット１０において、固定羽１５の下端から１０ｃｍ前後の位置に縦幅５ｍｍの開口１４を５ｍｍ間隔で３カ所上方に形成する。開口１４の縦幅を５ｍｍ以下にすることで子供の指でも通り抜けられないようにした。最も下側の開口１４は開状態の可動羽１６の下端より上方に位置するので、安全性と遮光とプライバシーを確保でき、しかも、採光や風の柔らかさや量等を調整することができる。
【００２０】
しかも、３つの開口１４は固定羽１５の横幅方向（長手方向）に沿って所定間隔で複数組形成されている。
また、可動羽１６は、図５において、中央領域に形成され且つ縦幅方向の長さが固定羽１５と略同一で固定羽１５の開口１４を開閉可能な本体部１６ａと、その両端部が切り欠かれて縦幅方向の長さの小さい支持部１６ｂとを形成している。そして、固定羽１５の両端部と可動羽１６の小幅の両支持部１６ｂは両側のガイドレール部７内にそれぞれ挿入されて上下動をガイドされる。
【００２１】
次に、複数のスラット１０の連結構造について図３，４及び図８によって説明する。複数のスラット１０の連結構造は左右同一構成であり、本実施形態では図８で一方の端部のみを示して説明する。
各スラット１０において、固定羽１５の上端部には室外側を向く第一フック部１５ａが形成され、更に第一フック部１５ａの付け根には可動羽１６の開作動をストップさせるストッパー１５ｂが形成されている。また、固定羽１５の下端部にも第二フック部１５ｃが形成され、更に第二フック部１５ｃには下側の可動羽１６を押圧して開作動させる押圧部１８が形成されている。
【００２２】
一方、可動羽１６には、上端部に固定羽１５の第一フック部１５ａ内に回動可能に挿入された断面略円弧状の係止部２０と、第一フック部１５ａを外側から室内側に覆う断面略Ｌ字状の第一係合部２１ａとを備え、更に第一係合部２１ａの途中から分岐して上方に延びていて、上側に位置するスラット１０の固定羽１５の下端部に形成した第二フック部１５ｃ内に回動可能に挿入される第二係合部２１ｂとが形成されている。上下のスラット１０は、上側の固定羽１５の第二フック部１５ｃと下側の可動羽１６の第二係合部２１ｂとが回動可能に嵌合することで連結されている。
しかも、係止部２０と第一係合部２１ａの間には、上側の固定羽１５の押圧部１８の押圧を受けて可動羽１６を第一フック部１５ａと第二フック部１５ｃを中心に回動させて開作動させる受け面１６ｃが形成されている。
【００２３】
そのため、図３及び図８において、可動羽１６の本体部１６ａが固定羽１５に当接している閉位置にある状態から、シャッターカーテン１２をわずかに下方移動させて上側の固定羽１５の押圧部１８で下側の可動羽１６の受け面１６ｃを押すことで、図４に示すように、可動羽１６が回動して固定羽１５から離間する方向に開作動することになる。この場合、可動羽１６の開作動は第一係合部２１ａが固定羽１５のストッパー１５ｂに当接することで停止し、固定羽１５に対して可動羽１６は所定角度、例えば鋭角で開いた状態に保持される。
この状態で、図７に示すように、固定羽１５の開口１４は上側に偏心しているため、外部から視認し難く、太陽光等の外部光は下側の可動羽１６の外面とその上の可動羽１６の内面に反射して開口１４から入射して採光する。
【００２４】
また、図８（ａ）、（ｂ）に示す上下に連結されたスラット１０において、固定羽１５の上端部に形成された第一フック部１５ａはその幅方向の長さが両端で短くなっており、その外側で可動羽１６の第一係合部２１ａが切り欠かれた切欠部２３を介してその外側端部の第一係合部２１ａがかしめられて第一かしめ部２４Ａが形成されている。そのため、各スラット１０の固定羽１５に対して可動羽１６の幅方向の摺動範囲は両端の第一かしめ部２４Ａで規制されており、スラット１０の固定羽１５から可動羽１６が幅方向に横ずれしたり外れたりすることを阻止できる。
【００２５】
また、上側の固定羽１５に形成した下端部の第二フック部１５ｃはその幅方向の長さが両端で短くなっており、その外側で可動羽１６の第二係合部２１ｂが切り欠かれた切欠部２５を介してその外側端部の第二係合部２１ｂがかしめられて第二かしめ部２４Ｂが形成されている。そのため、上側の固定羽１５に対して下側の可動羽１６の幅方向の摺動範囲は両端の第二かしめ部２４Ｂで規制されており、上側の固定羽１５から下側の可動羽１６が幅方向に横ずれしたり外れたりすることを阻止できる。
【００２６】
なお、可動羽１６の第一係合部２１ａと第二係合部２１ｂは両側の支持部１６ｂ間の長さと同一長さであり、固定羽１５の第一フック部１５ａは第一係合部２１ａの両側の切欠部２３までの長さであり、第二フック部１５ｃは第二係合部２１ｂの両側の切欠部２５までの長さを有している。
【００２７】
次にシャッターカーテン１２の上下動をガイドするガイドレール部７の構造について図９から図１４により説明する。ガイドレール部７もシャッターカーテン１２の両側に配設されているが、両者は同一構造であるため、一方のガイドレール部７で説明する。
図９、図１０、図１１に示すように、フレーム３の左右の縦枠３ｃに固定される一対のガイドレール部７は、シャッターカーテン１２の各スラット１０を上下動可能にガイドする断面略Ｕ字状の受け入れ部２７と縦枠３ｃに連結する取り付け部２８とを有している。受け入れ部２７の開口を通して各スラット１０の固定羽１５の端部と可動羽１６の支持部１６ｂとが内部に挿入されている。図１１に示すように、スラット１０が開状態にある場合に、スラット１０の両端部の水平方向の開き幅と受け入れ部２７の開口幅とをほぼ同一に設定する。
【００２８】
そして、受け入れ部２７の対向する内面２７ａ、２７ｂにはそれぞれ繊維体としてモヘア３０が基部２９に植設されている。モヘア３０はガイドレール部７の受け入れ部２７の開口とシャッターカーテン１２との隙間を埋め、シャッターカーテン１２の上下動をガイドする消音材としての機能を有する。
内面２７ａ、２７ｂのモヘア３０は複数列の繊維で構成されており、室内側と室外側の内面２７ａ、２７ｂに設けたモヘア３０ａ、３０ｂは図１２（ａ）に示すように比較的太さが小さく硬さが小さい繊維３１と比較的太さが大きく硬さが大きい繊維３２との２種類の繊維で構成されている。なお、室内側の内面２７ａに設けたモヘア３０ａについては図１２（ｂ）に示すように一種類の上述した硬さの小さい繊維３１で構成されていてもよい。
【００２９】
例えば、各内面２７ａ、２７ｂにおけるモヘア３０ａ、３０ｂがガイドレール部７の上下方向に３列で延びているとして、室内側と室外側の内面２７ａ、２７ｂのモヘア３０ａ、３０ｂは図１２（ａ）に示すように柔らかい２列の繊維３１と太さが大きく硬い1列の繊維３２とで構成されている。或いは、室内側の内面２７ａのモヘア３０ａは図１２（ｂ）に示すように例えば３列全て繊維３１で柔らかく、室外側の内面２７ｂのモヘア３１ｂは図１２（ａ）に示すように柔らかい２列の繊維３１と太さが大きく硬い１列の繊維３２とで構成されていてもよい。
【００３０】
そのため、閉状態にあるスラット１０は、図１０及び図１３に示すように、ガイドレール部７の受け入れ部２７の内面２７ａ、２７ｂに設けたモヘア３０ａ、３０ｂ間に収まり、上下動可能とされている。
一方、開状態にある各スラット１０は、図１１及び図１４に示すように、可動羽１６の小幅の支持部１６ｂが受け入れ部２７内の両側の内面２７ａ，２７ｂのモヘア３０ａ、３０ｂに当接する。特に室外側で第一及び第二係合部２１ａ、２１ｂから比較的離間した支持部１６ｂの端部が硬さの大きい繊維３２の列を混在させたモヘア３０ｂに当接することで、自重による降下に抵抗して阻止する。また、手動等で、スラット１０を外部から上側に上げようとした場合にもモヘア３０ａ、３０ｂ、特に硬さの大きいモヘア３０ｂで抵抗する。更に、閉状態でも各スラット１０を両側のモヘア３０ａ，３０ｂに当接しないかわずかに当接する程度であるため、シャッターカーテン１２の開閉操作音を消音して上下動可能に保持できる。
【００３１】
本実施形態によるシャッター装置１は上述した構成を備えており、次にその作用を説明する。シャッターカーテン１２が建物の開口部２を開口状態から閉鎖状態に閉じる場合、図示しないスイッチによって駆動モータ９を一方向に回転駆動させてシャッターカーテン１２をシャフト８に巻き上げた状態から繰り出し、図２及び図３に示すように、シャッターカーテン１２の各スラット１０の可動羽１６が固定羽１５に当接した閉状態で、両側のガイドレール部７にガイドされて降下させる。
【００３２】
そして、シャッターカーテン１２の下端部の巾木１３がフレーム３の下枠３ｂに当接して、負荷が変化することを駆動モータ９に取り付けたエンコーダ等の検知手段で検知するか、巾木１３または下枠３ｂ等に設けたセンサ等で検知することで停止する。この状態で開口部２はシャッターカーテン１２で閉鎖されている。
【００３３】
この状態から、通風または採光のために可動羽１６を開作動させるには、更に駆動モータ９でシャッターカーテン１２をわずかに下方移動させる。これによって、各スラット１０の固定羽１５の下端部の押圧部１８で下側のスラット１０の可動羽１６の受け面１６ｃを押すことで、可動羽１６が第一フック部１５ａを嵌合する第一係合部２１ａと第二フック部１５ｃに嵌合される第二係合部２１ｂとを中心に回転することで所定角度だけ室外側に開作動し、第一係合部２１ａが固定羽１５のストッパー１５ｂに当接して開状態で停止する。
【００３４】
この状態で、図７に示すように、屋外の風が固定羽１５の開口１４を通して室内に送られ、太陽光等の光が下側の可動羽１６や上側の可動羽１６で反射して開口１４を通して室内を柔らかい光が照射する。採風も同様に固定羽１５の開口１４を通して室内外に柔らかく流通する。また、開状態にある可動羽１６の下端部より上方に固定羽１５の複数の開口１４が配設されているから、外部から開口１４を通して室内を視認し難く、各開口１４の縦幅も小さいのでプライバシーを保護すると共に防犯上の安全性を向上できる。
【００３５】
また、建物の開口部２を開放するには、駆動モータ９を逆回転させてシャッターカーテン１２を若干上方移動させることで押圧部１８が可動羽１６の受け面１６ｃから離れ、可動羽１６をその自重によって固定羽１５に当接させて開口１４を閉作動させる。その後、駆動モータ９を更に逆回転させてシャッターカーテン１２をシャフト８に巻き上げればよい。
また、各スラット１０が閉状態で上下動する場合には、図１０及び図１３に示すように、各スラット１０の固定羽１５と可動羽１６は、その両端部がガイドレール部７の各受け入れ部２７における内面２７ａ、２７ｂのモヘア３０ａ、３０ｂ間でいなして消音させて上下動する。また、スラット１０の可動羽１６を外部から人為的に開こうとしても、両内面２７ａ、２７ｂのモヘア３０ａ、３０ｂが当接して抵抗する。
【００３６】
一方、スラット１０の可動羽１６が固定羽１５に対して開状態にある場合には、スラット１０はガイドレール部７の各受け入れ部２７における内面２７ａ、２７ｂのモヘア３０ａ、３０ｂ間と同一幅になり、互いに当接する。しかも、図１１及び図１４に示すように、可動羽１６の両端の支持部１６ｂは開いた状態で内面２７ｂの硬い繊維３２を含むモヘア３０ｂに当接することで、自重による降下方向の荷重に対して抵抗し、モヘア３０ａ、３０ｂの硬さで可動羽１６を開状態に維持する。また、固定羽１５の押圧部１８が可動羽１６の受け面１６ｃから離れた場合には支持部１６ｂがモヘア３０ｂ，３０ａの抵抗に打ち勝って自重で閉作動することを許容する。
【００３７】
しかも、上述したシャッターカーテン１２の開閉作動と、各スラット１０における可動羽１６が開口１４を設けた固定羽１５に対する開閉作動を行うに際し、各可動羽１６は第一かしめ部２４Ａと第二かしめ部２４Ｂによって固定羽１５に対して横ずれすることを規制できる。
【００３８】
上述のように、本実施形態によるシャッター装置１によれば、シャッターカーテン１２の各スラット１０において、可動羽１６は第一かしめ部２４Ａによって固定羽１５の第一フック部１５ａに対して横ずれしないように規制されるため、組立後に可動羽１６が固定羽１５から横ずれしたり、外れたりすることを規制できる。また、各可動羽１６は第二かしめ部２４Ｂによって上側の固定羽１５の第二フック部１５ｃに対して横ずれしないように規制されるため、組立後に可動羽１６を含むスラット１０が上側のスラット１０の固定羽１５から横ずれしたり、外れたりすることを規制できる。
【００３９】
また、可動羽１６の第一係合部２１ａの両端に設けた第一かしめ部２４Ａと第二係合部２１ｂの両端に設けた第二かしめ部２４Ｂは、それぞれ切欠部２３，２５によって相対回動に寄与するその内側の部分と分離されているため、第一係合部２１ａ及び第二係合部２１ｂの両端部をかしめても固定羽１５に対する可動羽１６の回動に影響を与えない。
そのため、本実施形態によるシャッター装置１は、別部品の取り付け工程をなくして自動機による製造を容易にして加工コストを低廉にできる。しかも、第一及び第二かしめ部２４Ａ、２４Ｂを可動羽１６の同一面側に設けたので、かしめ作業が一層容易である。
【００４０】
また、各スラット１０の両端部を挿入して上下動をガイドするガイドレール部７の各受け入れ部２７の内面２７ａ、２７ｂにモヘア３０ａ、３０ｂを設け、少なくとも室外側のモヘア３０ｂは繊維３１に硬さの比較的大きい繊維３２を混在させたので、可動羽１６が開いた際に支持部１６ｂに当接するモヘア３０ｂの抵抗を大きくすることで、支持部１６ｂを安定して係止させて開状態に維持できると共にモヘア３０ａ、３０ｂの経年劣化を抑制できる。しかも、可動羽１６が閉状態では、モヘア３０ａ、３０ｂによってスラット１０をいなすことで安定して上下動させることができる。
【００４１】
また、各スラット１０において、固定羽１５の上側に偏らせて複数の開口１４を配列させたため、可動羽１６を開状態にした場合、室外から開口１４を通して室内を他人が視認することを抑制できるので、安全性と遮光とプライバシーを確保できると共に、開口１４を通る採光や風の量を調整することをバランスさせることができる。
【００４２】
なお、本発明によるシャッター装置１は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
【００４３】
例えば、上述した実施形態では、可動羽１６における第一係合部２１ａの両端に形成した第一かしめ部２４Ａの内側に切欠部２３を形成したが、切欠部２３は設けなくてもよい。この場合、少なくとも固定羽１５の第一フック部１５ａの両端部の外側に離間した位置で可動羽１６の第一係合部２１ａに（第一フック部１５ａとの相対回動に影響を与えないように）第一かしめ部２４Ａを形成すればよい。同様に、固定羽１５の第二フック部１５ｃの両端部の外側に離間した位置で可動羽１６の第二係合部２１ｂに（第二フック部１５ｃとの相対回動に影響を与えないように）第二かしめ部２４Ｂを形成すれば、第二係合部２１ｂに切欠部２５を設けなくてもよい。これらによって、固定羽１５と可動羽１６の相対回動に悪影響を与えないで第一及び第二かしめ部２４Ａ，２４Ｂを形成できる。
【００４４】
また、上述した実施形態では、可動羽１６の第一係合部２１ａと第二係合部２１ｂの両端部に第一かしめ部２４Ａと第二かしめ部２４Ｂをそれぞれ形成して固定羽１５の第一フック部１５ａ、第二フック部１５ｃと横ずれしたりしないようにしたが、この構成に代えて可動羽１６の第一係合部２１ａと第二係合部２１ｂの両端を短く形成し、固定羽１５の第一フック部１５ａと第二フック部１５ｃを第一係合部２１ａと第二係合部２１ｂより両端を長く形成し、第一係合部２１ａと第二係合部２１ｂの両端外側に切欠部を形成して、或いは切欠部を形成しないで、その外側の両端部に第一かしめ部２４Ａと第二かしめ部２４Ｂをそれぞれ形成して可動羽１６の横ずれを防ぐようにしてもよい。
【００４５】
なお、繊維体としてのモヘア３０ａ、３０ｂとして、ガイドレール部７の受け入れ部２７の対向する両内面２７ａ、２７ｂに比較的太さの大きい繊維３２と太さの小さい繊維３１を混在させたモヘア３０ａ、３０ｂを設置したが、室内側の内面２７ａに設けたモヘア３０ａは硬さの小さい繊維３１だけを長手方向に沿って配列させて構成してもよい。この場合でも、可動羽１６の支持部１６ｂがモヘア３０ａ、３０ｂに当接して開状態に維持される。
また、モヘア３０ａ、３０ｂにおいて、太さの大きい繊維３２は太さの小さい繊維３１の列に並んで配列する構成に限定されるものではなく、繊維３１の任意の列に混在させてもよく、或いは複数の列にランダムに混在させてもよい。モヘア３０ｂ等を構成する繊維は２種類に限定されるものではなく、硬さの異なる３種類以上でもよい。
【００４６】
また、可動羽１６の支持部１６ｂを開状態で維持する抵抗体として、モヘア３０に限定されるものではなく、例えばスポンジ等の弾性体等、他の抵抗体を設けてもよい。
【００４７】
また、固定羽１５に設けた開口１４は縦幅方向に３つに限定されるものではなく、２つまたは４つ以上でもよく、適宜の複数の開口１４を形成できる。また、開口１４は固定羽１５の横幅方向に延在するものに限定されない。例えば、固定羽１５の縦幅方向に延びる開口１４を横幅方向に複数配列させて１組の開口としてもよい。或いは、開口１４を斜めに形成して平行に複数配列させてもよい。また、上述した実施形態では、固定羽１５の開口１４は、開状態にある可動羽１６の下端部の水平方向の延長線に対して上側に偏心して位置させたが、下側にずれていてもよい。
【００４８】
なお、本発明における固定羽の第一フック部１５ａは第一保持部を構成し、第二フック部１５ｃは第二保持部を構成する。
【符号の説明】
【００４９】
１  シャッター装置
２  開口部
７  ガイドレール部
１０  スラット
１２  シャッターカーテン
１４  開口
１５  固定羽
１５ａ  第一フック部
１５ｂ  ストッパー
１５ｃ  第二フック部
１６  可動羽
１６ａ  本体部
１６ｂ  支持部
１６ｃ  受け面
１８  押圧部
２０ａ  係止部
２１ａ  第一係合部
２１ｂ  第二係合部
２３、２５  切欠部
２４Ａ  第一かしめ部
２４Ｂ  第二かしめ部
２７  受け入れ部
３０，３０ａ、３０ｂ  モヘア
３１、３２  繊維
【図１】
2015098749.tif 000003
【図２】
2015098749.tif 000004
【図３】
2015098749.tif 000005
【図４】
2015098749.tif 000006
【図５】
2015098749.tif 000007
【図６】
2015098749.tif 000008
【図７】
2015098749.tif 000009
【図８】
2015098749.tif 000010
【図９】
2015098749.tif 000011
【図１０】
2015098749.tif 000012
【図１１】
2015098749.tif 000013
【図１２】
2015098749.tif 000014
【図１３】
2015098749.tif 000015
【図１４】
2015098749.tif 000016